(57)【要約】【課題】従来のゴルフパターはライ角の調整とシャフトの位置を同時に変更出来るものが無かった。そのために複数の箇所を調整する用意する必要があった。また、ライ角の調整時には競技ルールに違反した調整となる恐れもあった。【解決手段】本発明はライ角とシャフトの位置を同時に変更出来るために１カ所の調整をするだけで良くなった。また、ライ角も競技ルールに違反しない範囲での調整が出来る様になった。よってこの課題を解決した。【選択図】図１
2018086226.tif 000002
【特許請求の範囲】
【請求項１】
パターヘッドに対するシャフトのライ角と、パターヘッドに対するシャフトの取り付け位置とを変更可能なパターであって、
円筒形状を有するヘッド本体と、
前記ヘッド本体内に収納可能な円柱状の芯と、
その先端が前記芯に接続されるシャフトと、
前記ヘッド本体に接続されるフェース板と、
を備え、
前記ヘッド本体には、パターヘッドに対するシャフトのライ角と、パターヘッドに対するシャフトの取り付け位置とを変更するための切り欠きが形成され、
前記シャフトは、前記切り欠きを介して前記芯に接続されることを特徴とするパター。
【請求項２】
請求項１に記載のパターにおいて、
前記切り欠きは、前記芯の軸芯と平行に形成された第１の溝部と、前記第１の溝部と直交する方向に形成された第２の溝部とから構成され、前記第２の溝部は、前記芯の軸心方向に対して互いに異なる位置に複数形成されるパター。
【請求項３】
請求項１または請求項２に記載のパターにおいて、
前記フェース板は、フェース固定金具を介して前記ヘッド本体と着脱自在に接続されており、
互いに異なる形状を有するフェース板を前記フェース固定金具に装着することが可能なパター。
【発明の詳細な説明】
【技術分野】
【０００１】  本発明は、ゴルフパターに関するものである。
【背景技術】
【０００２】  従来のゴルフパターにはパターヘッドを調整したり、ヘッドの形状を変えることができるものがある。構造は多様だがネジで分解できるようになっているものがある（例えば、非特許文献１参照）。
また、シャフトがヘッドとの付け根部分の近傍で折れ曲がる仕様のものもある（例えば、特許文献１、特許文献２参照）。
【先行技術文献】
【特許文献】
【０００３】
【特許文献１】特開２０１３−６００６
【特許文献２】特開２００９−１３６６３８
【非特許文献】
【０００４】
【非特許文献１】ＨＡＰＰＹ  ＰＵＴＴＥＲ    ＢＲＡＩＮ  ＳＴＯＲＭ  ＧＯＬＦ  インターネット  ＵＲＬ  ｈｔｔｐ：／／ｈａｐｐｙｐｕｔｔｅｒ．ｊｐ／ｐｒｏｄｕｃｔｓ／
【発明の概要】
【発明が解決しようとする課題】
【０００５】  従来の構造ではライ角の調整とシャフトの位置変更を同時にできるものは無かった。ボールを打つ場所であるフェースの部分を別のものと交換して使用できるようにするものも無かった。また、従来のライ角の調整ではルールに適合しない角度で固定する可能性があり公式の競技には出られない可能性がある。【０００６】  本発明はこのような従来の構成が有していた問題を解決し、一度の作業でライ角とシャフト位置変更をできるようにしている。なお且つ、ライ角もルールの適合範囲内でしか変更はできないようにしたものである。
【課題を解決するための手段】
【０００７】    請求項１に記載の発明は、ライ角の調整にはヘッド本体の円筒部分に切り欠きを開けてその中にシャフトを差し込み円筒の中にある円柱に前記シャフトを接続する。前記円柱が前記ヘッド本体の円筒に沿って自在に動くことで、前記シャフトも切り欠き上で自在に動く。前記ヘッド本体の円筒と前記円柱の円の中心は同じと見做すことができるのでライ角の変化はこの円方向の変化となり、前記切り欠きをライ角の調整に使う事が出来る。また、前記切り欠きをシャフトの位置の変更にも使えるようにしてある。【０００８】  また、同時に切り欠きの場所を計算することによってライ角がルール違反の角度とならないようにすることができた。【０００９】  請求項２に記載の発明は、請求項１に記載の発明において、パターヘッドを違った形状のものと交換するものである。
【発明の効果】
【００１０】  請求項１及び２に記載の発明によれば、ライ角とシャフトの位置を同時に変更できるのでヘッドの調整が大変楽になる。しかも、ライ角を競技ルール違反にならない角度での変更ができるので、競技の時にも安心してプレーすることが可能となる。【００１１】  請求項３に記載の発明によれば、フェースの変更ができるので一本のパタークラブでフェースだけを変えることによってフェースの数だけの本数のパターを持っているのと同じ効果がある。【００１２】  また、フェースはいくらでも新しい形状の物を考えられるのでパターの開発が進むことが期待できる。
【図面の簡単な説明】
【００１３】
【図１】  本発明の実施形態を示す分解図
【図２】  図１の組立図
【図３】  ライ角を変更する機構の断面図
【図４】  シャフトの位置変更をするときの説明図
【図５】  本発明の実施形態でフェースの形状が図１のものと異なる例の参考図
【発明を実施するための形態】
【００１４】  以下、本発明の実施形態を図１〜図５に基づいて説明する。
【００１５】  図１はこの発明に係る部材を記載したパターの全体の分解図である。パターヘッドは円柱形の芯１、円筒形ヘッド本体２、フェース固定用金具３、フェース板４、フェース板固定ネジ６から構成される。パターとしてはその他にシャフト５、特殊ナット７、座金８からなる。シャフト５には先端にネジ部があり、反対側にはグリップが付いている。図ではグリップは省略している。
【００１６】  円柱形の芯１にはシャフト５を取り付けるためのネジが切ってあり、円筒形ヘッド本体２の中に差し込む。前記円筒形ヘッド本体２はライ角調整と前記シャフト５の位置の変更用の切り欠き１０が設けてあり、前記切り欠き１０の穴を通して前記円柱形の芯１にねじ込む。フェース板４は横からフェース固定用金具３にフェース板固定ネジ６で取り付ける。
【００１７】  前記切り欠き１０の穴は前記芯１の軸芯と平行に形成された第１の溝部と、前記第１の溝部と直交する方向に形成された第２の溝部から構成される。調整をする時は特殊ナット７を緩めシャフト５を溝に沿って移動させる。どちらの溝部の幅も前記シャフト５の可動範囲となるため軸の太さよりも大幅に大きくすると調整範囲が増え、且つネジ止めがしにくくなるので溝部の幅は必要最小限とした方が良い。
【００１８】  図２は図１を組み立てた時の完成図である。
【００１９】  図３はライ角を変更するときの仕組みを説明するパターヘッド本体の断面図である。円柱形の芯１の円の中心と円筒形ヘッド本体２の円の中心はほぼ同じであるので前記円柱形の芯１に取り付けられているシャフト５は円の中心を運動の中心として滑らかに動く。ゴルフのルールを規定しているＴｈｅＲ＆Ａによるとライ角は８０度より大きくなるとルール違反となるので切り欠き１０の一番上にシャフトを固定した時ライ角が８０度未満となるように切り欠き１０を作る。
【００２０】  図４はシャフト５の位置を変えるときの説明図である。Ｂの位置に前記シャフト５があるときとＡの位置にある時を比べると、Ａの位置にあるときはフェース板４と前期シャフト５の距離が短くなる。逆にＣの位置に前記シャフト５があるときは前記フェース板４と前期シャフト５の距離が長くなる。また、Ａ、Ｂ、Ｃそれぞれの位置でライ角を変更できるように切り込みを作ってあり（前記第２の溝部）、且つ下の部分でＡ、Ｂ、Ｃの三カ所とも繋げてある（前記第１の溝部）。この事によってライ角の変更とシャフト位置の変更を同時に出来るようにした。
【００２１】  図５は図１、図２に示したフェース板４の形状とは異なる形状のフェース板９を使用した時の実施例であり、本発明の請求項２のフェース板を変更することができる実施形態を示す。フェース固定用金具３があれば様々な形状のフェース板が取り付けられる。
【００２２】上述したように本発明によれば、自分の好きな時にパターの調整ができることになるが、ＴｈｅＲ＆Ａがルールで規定している様に競技のプレー中に簡単にパターの調整はできないようにネジは特殊な物を使用する事となっているため、フェース板固定ネジ６は一般の工具では動かせない特殊ネジとしている。同じように特殊ナット７も５角形とし通常の工具が使用できない様にしている。
また、パターの購入後にヘッドのフェースを取り換えることによって、自分だけのバターを作る事が出来る。
【符号の説明】
【００２３】１  円柱形の芯
２  円筒形ヘッド本体
３  フェース固定用金具
４  フェース板
５  シャフト
６  フェース板固定ネジ
７  特殊ナット
８  座金
９  異なる形状のフェース板
１０  切り欠き
【図１】
2018086226.tif 000003
【図２】
2018086226.tif 000004
【図３】
2018086226.tif 000005
【図４】
2018086226.tif 000006
【図５】
2018086226.tif 000007